(57)【要約】本明細書に開示されるのは、容器、ノズル、アクチュエータ、および、洗浄される物品を受け取るように構成される１つ以上の取り外し可能カバー部材の組立に基づく種々の洗浄システムである。また、開示されるのは、種々の洗浄システムのうちの１つを取得するステップと、カバー部材をアセンブリから外すステップと、物品をカバー部材内に載置するステップと、洗浄剤をカバー部材内に分注するステップと、洗浄剤が、物品を洗浄するために十分な時間の間、待機するステップとに基づく物品を洗浄する方法である。さらに開示されるのは、液体担体および発泡剤に基づく洗浄剤である。
2013539409.tif 000002
【特許請求の範囲】
【請求項１】
洗浄システムであって、
ａ．洗浄剤を収納するように構成されている容器と、
ｂ．前記容器と連通し、洗浄剤が前記容器から放出することを可能にするように構成されているノズルと、
ｃ．前記容器および前記ノズルに動作可能に接続され、前記洗浄システムが使用されている場合、洗浄剤を前記ノズルを通して分注するように構成されているアクチュエータと、
ｄ．前記容器に取り外し可能に取り付けられ、前記洗浄システムを用いて洗浄される物品を受け取るように構成されている第１のカバー部材と
を備えている、洗浄システム。
【請求項２】
前記第１のカバー部材は、前記ノズルを収納するようにさらに構成されている、請求項１に記載の洗浄システム。
【請求項３】
前記容器は、エアロゾル缶である、請求項１に記載の洗浄システム。
【請求項４】
前記アクチュエータは、圧力が前記アクチュエータに印加されると、洗浄剤を前記ノズルを通して分注するように構成されている、請求項１に記載の洗浄システム。
【請求項５】
前記洗浄剤の分注を制御するように構成されている弁をさらに備えている、請求項１に記載の洗浄システム。
【請求項６】
前記弁に動作可能に接続され、前記洗浄システムのユーザが前記弁作動部分に力を付与することを可能にするためのサイズを有している弁作動部分をさらに備えている、請求項５に記載の洗浄システム。
【請求項７】
前記容器に取り外し可能に取り付けられ、前記洗浄システムを用いて洗浄される物品を受け取るように構成されている第２のカバー部材をさらに備えている、請求項１に記載の洗浄システム。
【請求項８】
前記第２のカバー部材は、前記第１のカバー部材と異なるサイズである、請求項７に記載の洗浄システム。
【請求項９】
前記第２のカバー部材は、前記第１のカバー部材を収納するようにさらに構成されている、請求項８に記載の洗浄システム。
【請求項１０】
前記第１および第２のカバー部材は、受け取られる品物のサイズに従って、十分な量の洗浄剤がそれぞれのカバー部材内に分注されることを確実にするためのサイズを有している、請求項７に記載の洗浄システム。
【請求項１１】
前記洗浄システムは、約１オンスから約４オンスの範囲内の容積を有するように構成されている少なくとも１つのカバー部材を備えている、請求項１に記載の洗浄システム。
【請求項１２】
前記洗浄システムは、約１インチから約３インチの範囲内の高さ寸法を有するように構成されている少なくとも１つのカバー部材を備えている、請求項１に記載の洗浄システム。
【請求項１３】
前記洗浄システムは、円筒形形状である少なくとも１つのカバー部材を備えている、請求項１に記載の洗浄システム。
【請求項１４】
前記円筒形に成形されたカバー部材は、約１インチから約４インチの範囲内の直径を有するように構成されている、請求項１３に記載の洗浄システム。
【請求項１５】
洗い流し部材をさらに備えている、請求項１に記載の洗浄システム。
【請求項１６】
前記洗い流し部材は、ブラシである、請求項１５に記載の洗浄システム。
【請求項１７】
前記洗い流し部材は、前記洗浄システムの一部に取り外し可能に取り付けられている、請求項１５に記載の洗浄システム。
【請求項１８】
洗浄剤をさらに備えている、請求項１に記載の洗浄システム。
【請求項１９】
前記洗浄剤は、発泡洗浄剤である、請求項１８に記載の洗浄システム。
【請求項２０】
前記洗浄剤は、非イオン性界面活性剤を備えている、請求項１８に記載の洗浄システム。
【請求項２１】
前記非イオン性界面活性剤は、脂肪族鎖中に約８から約１８個の炭素原子を含有し、約５から約５０個のエチレンオキシドおよび／またはプロピレンオキシド単位を組み込む、脂肪族カルボン酸のポリオキシエチレンまたはポリオキシプロピレン凝縮物である、請求項２０に記載の洗浄システム。
【請求項２２】
前記非イオン性界面活性剤は、約６から約２４個の炭素原子を含有し、約５から約５０個のエチレンオキシドおよび／またはプロピレンオキシド単位を組み込む、脂肪族アルコールのポリオキシエチレンまたはポリオキシプロピレン凝縮物である、請求項２０に記載の洗浄システム。
【請求項２３】
前記非イオン性界面活性剤は、約６から約１２個の炭素原子を含有し、エチレンまたはプロピレンオキシドが、アルキルフェノール１モルあたり約５から約２５モルとして存在する、アルキルフェノールのポリオキシエチレンまたはポリオキシプロピレン凝縮物である、請求項２０に記載の洗浄システム。
【請求項２４】
前記非イオン性界面活性剤は、オクチルフェノキシポリエトキシエタノールである、請求項２３に記載の洗浄システム。
【請求項２５】
前記非イオン性界面活性剤は、平均約１０モルのエチレンオキシドを含有する、オクチルフェノキシポリエトキシエタノールである、請求項２４に記載の洗浄システム。
【請求項２６】
前記非イオン性界面活性剤は、ＴＲＩＴＯＮＸ−１００である、請求項２３に記載の洗浄システム。
【請求項２７】
前記洗浄剤は、推進剤を備えている、請求項１９に記載の洗浄システム。
【請求項２８】
前記推進剤は、プロパンおよびブタンの混合物である、請求項２７に記載の洗浄システム。
【請求項２９】
一式の使用説明書をさらに備えている、請求項１に記載の洗浄システム。
【請求項３０】
洗浄される物品は、宝飾品類である、請求項１−２９のいずれかに記載の洗浄システム。
【請求項３１】
物品を洗浄する方法であって、
ａ．請求項１８−３０のいずれかに記載の洗浄システムを取得するステップと、
ｂ．カバー部材を前記容器から取り外すステップと、
ｃ．洗浄される物品を前記カバー部材内に載置するステップと、
ｄ．前記アクチュエータを作動させ、洗浄剤を前記ノズルを通して前記カバー部材内に分注するステップと、
ｅ．前記洗浄剤が前記物品に作用するために十分な時間の間、待機するステップと
を含む、方法。
【請求項３２】
前記洗浄剤は、発泡洗浄剤であり、前記待機するステップは、前記発泡洗浄剤が、前記容器内で実質的に消散するために十分な時間を含む、請求項３１に記載の方法。
【請求項３３】
洗い流し部材によって、前記物品から土を物理的に遊離および／または除去するステップをさらに含む、請求項３１に記載の方法。
【請求項３４】
前記洗い流し部材は、ブラシである、請求項３３に記載の方法。
【請求項３５】
洗浄剤であって、
ａ．液体担体と、
ｂ．発泡剤と
を備えている、洗浄剤。
【請求項３６】
前記液体担体は、水、アルコール、または水およびアルコールの混合物である、請求項３５に記載の洗浄剤。
【請求項３７】
前記液体担体は、水である、請求項３６に記載の洗浄剤。
【請求項３８】
前記液体担体は、前記洗浄剤の約７５％から約９８％の範囲内で存在する、請求項３５に記載の洗浄剤。
【請求項３９】
前記液体担体は、前記洗浄剤の約８５％から約９８％の範囲内で存在する、請求項３８に記載の洗浄剤。
【請求項４０】
前記液体担体は、前記洗浄剤の約９０％から約９７％の範囲内で存在する、請求項３９に記載の洗浄剤。
【請求項４１】
前記発泡剤は、非イオン性界面活性剤を備えている、請求項３５に記載の洗浄剤。
【請求項４２】
前記非イオン性界面活性剤は、脂肪族鎖中に約８から約１８個の炭素原子を含有し、約５から約５０個のエチレンオキシドおよび／またはプロピレンオキシド単位を組み込む、脂肪族カルボン酸のポリオキシエチレンまたはポリオキシプロピレン凝縮物である、請求項４１に記載の洗浄剤。
【請求項４３】
前記非イオン性界面活性剤は、約６から約２４個の炭素原子を含有し、約５から約５０個のエチレンオキシドおよび／またはプロピレンオキシド単位を組み込む、脂肪族アルコールのポリオキシエチレンまたはポリオキシプロピレン凝縮物である、請求項４１に記載の洗浄剤。
【請求項４４】
前記非イオン性界面活性剤は、約６から約１２個の炭素原子を含有し、エチレンおよび／またはプロピレンオキシドが、アルキルフェノール１モルあたり約５から約２５モルとして存在する、アルキルフェノールのポリオキシエチレンまたはポリオキシプロピレン凝縮物である、請求項４１に記載の洗浄剤。
【請求項４５】
前記非イオン性界面活性剤は、オクチルフェノキシポリエトキシエタノールである、請求項４４に記載の洗浄剤。
【請求項４６】
前記オクチルフェノキシポリエトキシエタノールは、平均約１０モルのエチレンオキシドを含有する、請求項４５に記載の洗浄剤。
【請求項４７】
前記非イオン性界面活性剤は、ＴＲＩＴＯＮＸ−１００である、請求項４４に記載の洗浄剤。
【請求項４８】
前記発泡剤は、推進剤を備えている、請求項３５に記載の洗浄剤。
【請求項４９】
前記推進剤は、ガス状炭化水素または混合ガス状炭化水素である、請求項４８に記載の洗浄剤。
【請求項５０】
前記推進剤は、ジメチルエーテル、ジフルオロエタン、プロパン、ブタン、イソブテン、または前述のいずれかの混合物である、請求項４９に記載の洗浄剤。
【請求項５１】
前記推進剤は、プロパンおよびブタンの混合物である、請求項５０に記載の洗浄剤。
【請求項５２】
前記推進剤は、非炭化水素タイプのガスである、請求項４８に記載の洗浄剤。
【請求項５３】
前記推進剤は、二酸化炭素である、請求項５２に記載の洗浄剤。
【請求項５４】
６個未満の炭素を伴うアルコール、腐食防止剤、酢、防腐剤、発泡防止剤、または前述のいずれかの混合物をさらに備えている、請求項３５に記載の洗浄剤。
【請求項５５】
腐食防止剤をさらに備えている、請求項５４に記載の洗浄剤。
【請求項５６】
前記腐食防止剤は、亜硝酸ナトリウムまたは安息香酸ナトリウムである、請求項５５に記載の洗浄剤。
【請求項５７】
前記洗浄剤のｐＨが、約５から約１１．５であるように、十分な量の塩基をさらに備えている、請求項３５に記載の洗浄剤。
【請求項５８】
前記塩基は、水酸化ナトリウム、水酸化アンモニウム、モルホリン、アミン、または前述のいずれかの混合物である、請求項５７に記載の洗浄剤。
【請求項５９】
前記塩基は、アミンである、請求項５８に記載の洗浄剤。
【請求項６０】
前記アミンは、トリエタノールアミンである、請求項５９に記載の洗浄剤。
【発明の詳細な説明】
【技術分野】
【０００１】
本発明は、宝飾品類および他の物品を洗浄するための製品の使用または使用方法、ならびに関連システムおよび調合に関する。
【背景技術】
【０００２】
宝飾品類の洗浄は、概して、宝飾品類を浸漬し、可能性として、宝飾品類をブラシで磨き、いかなる接着物質も除去し、続いて、宝飾品類を漱ぎ、いかなる遊離された材料および過剰なクリーナーも除去することにより、液体クリーナーによって、宝飾品類を手動で洗浄することによって行われる。代替として、宝飾品類は、物品を洗浄するための蒸気洗浄等の専門的方法を使用することができる商業施設に宝飾品類を持ち込むことによって洗浄され得る。手動洗浄は、ある種の容器内の粘性液体単独またはある量の水におけるそれの使用のいずれかを伴い得る。隅または隙間に埋入された宝飾品類上の土を洗浄することは、多くの場合、手動洗浄によって除去することは困難であり、ブラシまたは他のツールを使用してさえ、現在の家庭用の方法によって容易に除去することはできない。
【０００３】
発泡系は、従来、特定のタイプの洗浄およびパーソナルケア組成物において採用されてきた。また、液体発泡体の場合、例えば、発泡作用物質が、非水性液体洗剤組成物内に組み込まれてきた。さらに、発泡系またはその一部は、非洗剤（すなわち、非界面活性剤）カーペット洗浄組成物内に使用されてきた。さらにまた、発泡系は、タブレットの形態において、コンタクトレンズ洗浄組成物および他の洗剤組成物において採用されてきた。さらにまた、発泡系は、種々の物理的形態において、歯磨き粉、洗口液（口内洗浄液）、歯磨剤、および化粧品において採用されてきた。
【０００４】
強力に接着した土、泥、または他の物質を洗浄するための従来の家庭用手動宝飾品類洗浄プロセスを簡略化し、ユーザに対する柔軟性を可能にする、洗浄組成物を使用するための方法を提供する必要性が存在する。そのような方法は、好ましくは、ユーザが、その自宅の便利なもので、必要性に応じて、宝飾品類を洗浄し、使用が容易である、十分な柔軟性を可能にする。
【発明の概要】
【課題を解決するための手段】
【０００５】
本発明は、宝飾品類物品を洗浄するための、発泡系、界面活性剤系、および随意の他の構成要素を備えている発泡剤の使用に関する。一側面では、本発明は、少なくとも５０％（より好ましくは、少なくとも９０％）の水、少なくとも０．６％の界面活性剤／塩基、および推進剤を含有するエアロゾルスプレーを提供する。
【０００６】
本発明は、したがって、（ａ）発泡洗浄剤を供給するステップと、（ｂ）宝飾品類を受け取るように適合されている洗浄剤を伴う容器を提供するステップと、（ｃ）該宝飾品類を該容器に載置するステップと、（ｄ）発泡洗浄剤を容器に添加するステップと、（ｅ）該発泡剤が消散するまで、宝飾品類を発泡剤に接触させたまま浸漬するステップと、（ｆ）随意に、所望の時間期間後、宝飾品類を水で漱ぐステップとを含む、洗浄の方法を提供する。
【図面の簡単な説明】
【０００７】
【図１】図１は、本発明による、洗浄システムの斜視図を描写する。
【図２】図２は、本発明による、洗浄システムの分離された要素の斜視図を描写する。
【発明を実施するための形態】
【０００８】
本明細書で使用される場合、用語「発泡すること」とは、本明細書に説明されるような発泡系からの泡、発泡体、ムース等の形成を含むがそれらに限定されない。
【０００９】
本明細書で使用される場合、用語「宝飾品類」とは、限定されないが、指輪、イヤリング、ネックレス、ブレスレット、および他のそのような物品等の任意の装飾用宝飾品類物品を意味する。
【００１０】
本明細書で使用される場合、「土」とは、宝飾品類上の泥、土、油性物質を指す。
【００１１】
本発明は、洗浄宝飾品類のための発泡系界面活性剤系を備えている発泡剤の使用に関する。
【００１２】
本発明は、発泡洗浄剤を供給するステップと、宝飾品類を受け取るように適合されている洗浄剤を伴う容器を提供するステップと、該宝飾品類を該容器内に載置するステップと、発泡洗浄剤を容器に添加するステップと、該発泡剤が消散するまで、宝飾品類を発泡剤に接触させたまま浸漬するステップと、随意に、所望の時間期間後、宝飾品類を水で漱ぐステップとを有する、洗浄の方法に関する。
【００１３】
本発明はまた、少なくとも１つの宝飾品類を受け取るように適合されている容器と、該容器内に噴霧し、該少なくとも１つの宝飾品類を被覆するための発泡宝飾品類クリーナーと、該少なくとも１つの宝飾品類を機械的に洗浄するためのブラシとを含む、宝飾品類洗浄システムキットに関する。
【００１４】
発泡剤は、好ましくは、エアロゾル缶内に含まれ、感圧式弁によって、洗浄容器内に噴霧されるムースの形態であり得る。
【００１５】
（発泡剤組成物の成分）
（液体担体）
本発明による、発泡剤組成物は、一次溶媒として、液体担体を含む。担体流体は、水、アルコール、またはそれらの混合物であり得る。アルコールが、液体担体において使用される場合、好ましいアルコールとして、イソプロピルアルコールメタノール、ｔｅｒｔ−ブチルアルコール、およびそれらの混合物が挙げられる。水は、本調合における好ましい担体流体と考えられる。液体担体は、組成物の約７５％から約９８％、好ましくは、組成物の約８５％から約９８％、最も好ましくは、組成物の約９０％から約９７％の範囲内で存在する。
【００１６】
液体担体が多過ぎると、斑点および／または容認できないほど低粘度をもたらし、液体担体が少な過ぎると、成膜、または、発泡剤を洗浄されている表面から漱ぎ流す際に困難をもたらし得る。
【００１７】
本発明による、発泡剤は、発泡体またはムース系を備えている。発泡系は、非常に高速の泡生成をもたらす。
【００１８】
（非イオン性界面活性剤）
非イオン性界面活性剤は、性質上、脂肪族またはアルキル芳香族であり得る有機疎水性材料を伴う、アルキレンオキシド基の濃縮によって生成される化合物として広く定義され得る。任意の特定の疎水性基で濃縮される、親水性またはポリオキシアルキレンラジカルの長さは、親水性と疎水性要素との間の所望の程度のバランスを有する水溶性化合物を産出するように容易に調節されることができる。
【００１９】
種々の好適な非イオン性界面活性剤タイプの限定ではなく、例証的実施例は、以下である。
【００２０】
（ａ）直鎖または分枝鎖、および、飽和または不飽和を問わず、脂肪族鎖中に約８から約１８個の炭素原子を含有し、約５から約５０個のエチレンオキシドおよび／またはプロピレンオキシド単位を組み込む、脂肪族カルボン酸のポリオキシエチレンまたはポリオキシプロピレン凝縮物。好適なカルボン酸として、平均約１２個の炭素原子を含有する、「ココナツ」脂肪酸（ココナツオイル由来）、平均約１８個の炭素原子を含有する、「獣脂」脂肪酸（獣脂系脂肪由来）、パルミチン酸、ミリスチン酸、ステアリン酸、および乳酸が挙げられる。
【００２１】
（ｂ）直鎖または分枝鎖および飽和または不飽和を問わず、約６から約２４個の炭素原子を含有し、約５から約５０個のエチレンオキシドおよび／またはプロピレンオキシド単位を組み込む、脂肪族アルコールのポリオキシエチレンまたはポリオキシプロピレン凝縮物。好適なアルコールとして、「ココナツ」脂肪アルコール、「獣脂」脂肪アルコール、ラウリルアルコール、ミリスチルアルコール、およびオレイルアルコールが挙げられる。
【００２２】
（ｃ）アルキルフェノールのポリオキシエチレンまたはポリオキシプロピレン凝縮物。これらの化合物として、エチレンおよび／またはプロピレンオキシドを伴い、エチレンおよび／またはプロピレンオキシドが、アルキルフェノール１モルあたり約５から２５モルのエチレンおよび／またはプロピレンオキシドとして存在する、直鎖または分岐構成において、約６から１２個の炭素原子を含有するアルキル基を有する、アルキルフェノールの濃縮生成物が挙げられる。そのような化合物中のアルキル置換基は、例えば、重合プロピレン、ジイソブチレン、および同等物から派生することができる。本タイプの化合物の実施例として、フェノール１モルあたり約９．５モルのエチレンオキシドで濃縮されたノニルフェノール、フェノール１モルあたり約１２モルのエチレンオキシドで濃縮されたジノニルフェノール、フェノール１モルあたり約１５モルのエチレンオキシドで濃縮されたジノニルフェノール、およびフェノール１モルあたり約１５モルのエチレンオキシドで濃縮されたジイソオクチルフェノールが挙げられる。本タイプの市販の非イオン性界面活性剤として、ＧＡＦ  Ｃｏｒｐｏｒａｔｉｏｎ（Ｗａｙｎｅ、Ｎ．Ｊ．）製「ＩＧＥＰＡＬＣＯ−６３０」、ならびにＲｏｈｍａｎｄ  Ｈａａｓ  Ｃｏｍｐａｎｙ（Ｐｈｉｌａｄｅｌｐｈｉａ、Ｐａ）製「ＴＲＩＴＯＮＸ−４５、Ｘ−１１４、Ｘ−１００、およびＸ−１０２」が挙げられる。本分類における好ましい非イオン性界面活性剤は、商標名「ＴＲＩＴＯＮ」としてＲｏｈｍａｎｄ  Ｈａａｓ  Ｃｏｍｐａｎｙによって販売されている水溶性界面活性剤である。平均１０モルのエチレンオキシドを含有する、オクチルフェノキシポリエトキシエタノールである、ＴＲＩＴＯＮＸ−１００は、本発明による、発泡剤組成物において使用するために特に好ましい。
【００２３】
前述の調合は、６個未満の炭素を伴うアルコール（例えば、イソプロパノールおよび／またはプロピレングリコール）、腐食防止剤（例えば、亜硝酸ナトリウムまたは安息香酸ナトリウム）、酢、防腐剤（例えば、４，４−ジメチルオキサゾリジン−ＢｉｏｂａｎＣＳ−１１３５）、および／または発泡防止剤も含有し得る。
【００２４】
あるガス状炭化水素（または、それらの混合物）は、推進剤として使用することができる。それらは、典型的には、エアロゾル缶の圧力条件下、液化する。例えば、推進剤は、ジメチルエーテル、ジフルオロエタン、プロパン、ブタン、イソブタン、およびそれらの混合物であることができる（好ましくは、イソブタンのみ）。代替として、推進剤は、ＣＯ２等の非炭化水素タイプのガスであり得る。
【００２５】
（塩基）
発泡剤組成物への塩基の添加は、増粘剤のポリマー分子を解き、組成物のゼラチン状濃化剤を沈殿させるために、約５から約１１．５の値まで組成物のｐＨを上昇させるために使用され得る。代替として、アンモニアが、洗浄効果に寄与するための発泡剤組成物の成分として使用され得る。塩基の添加は、アルコールが液体担体中に存在する場合、または有機酸が発泡剤組成物中に存在する場合、これらの成分もまた、十分な数量において使用された場合に混合物の濃化剤を沈殿させるであろうため、必要でないことがある。使用される場合、十分な塩基が、約５から１１．５の所望のレベルまでｐＨを調節するように添加されるべきである。好適な塩基として、水酸化ナトリウム、水酸化アンモニウム、モルホリン、およびアミン、例えば、トリエタノールアミンが挙げられる。
【００２６】
（洗浄システム）
図１に示されるように、本発明に従って提供される洗浄システムは、キット形態において提供され得る。キットは、有利には、キットの部品が、パッケージングの一部としての役割を果たすこと、および、洗浄プロセス中に使用するための容器を提供することの二重の目的を果たし得るように、提供され得る。したがって、さらに、洗浄システムは、ユーザが、容易に取得かつ利用し得る、自立型製品であり得る。洗浄システムキット１００は、洗浄剤を含み得、洗浄システムの構造要素は、エアロゾル缶１０２等の洗浄剤容器と、カバー部材／容器１０４および１０６と、洗い流し部材１０８とを備え得る。
【００２７】
図１を参照することによって分かるように、洗浄キットは、概して、１００として指定され、洗浄剤を保持するためのエアロゾル缶１０２と、カバー部材１０４および１０６とを備えている。描写されるように、カバー部材は、２つの別個のカバー部材を備え得る。さらに説明されるように、２つのカバー部材を提供することによって、ユーザは、代替として、種々のサイズの宝飾品類を洗浄するために、異なる容器を選択し得る。エアロゾル缶１０２は、概して、円筒形構成であり、カバー部材を受け取るための寸法を有する。加えて、エアロゾル缶１０２は、洗浄剤をノズル１１２を通して分注するために、細長い垂直に配置されるアクチュエータ１１０を具備し、ノズルは、広く認識されている様式において、圧力をアクチュエータに印加することによって、洗浄剤をエアロゾル缶の内部から放出させる。
【００２８】
図１および２を参照することによって最も良く分かるように、エアロゾル缶１０２およびカバー部材１０４／１０６と共に使用するために開発されたアクチュエータ１１０は、ユーザに、弁作動部分１１４に力を容易に付与させるための寸法を有する、細長い垂直構成要素を備えている。弁作動部分１１４は、いくつかの広く認識されている様式のうちの１つにおいて、洗浄剤の分注を制御するための弁に動作可能に接続されるように適合され得る。ノズル１１２は、ユーザが、広く認識されている様式において、弁作動部分１１４を押下することによって、弁が開放されると、圧力下、洗浄剤をエアロゾル缶１０２から流出させる、開放開口である。
【００２９】
図１および２に例証される実施形態では、カバー部材１０４／１０６は、受け取られるように形成され、エアロゾル缶へのカバー部材／容器の弾力的な摩擦嵌めによって、エアロゾル缶１０２と取り外し可能に取り付けられる。カバー部材／容器は、円筒形形状であり得、典型的には、約１オンスから４オンスの範囲内の容積を有し得る。加えて、容器は、個人的宝飾品類物品が、その中に収容され得るような寸法を有し得る。例えば、容器は、１から３インチの高さおよび１から３または４インチの直径の寸法を有し得る。カバー部材／容器およびアプリケータが、取り外し可能に継合されるので、カバー部材が定位置にある間、洗浄剤がノズルから放出される可能性はない。加えて、カバー部材／容器は、取り外し可能に取り付けられるので、ユーザは、宝飾品類洗浄が要求される場合、随時、適切な洗浄容器が利用可能であることを保証される。
【００３０】
本発明を構成する追加の構造特徴は、デバイスの一部に取り外し可能に取り付けられ得る、ブラシまたは洗い流し部材１０８から成る。図１は、ブラシ１０８が、エアロゾル缶の外部壁１１６に取り外し可能に取り付けられ得ることを示す。図１は、エアロゾル缶の外部壁１１６上の弾力的なクリップまたは締結具１１８内に取り外し可能に固着されるブラシを示すが、本発明は、そのように限定されない。ブラシは、例えば、代替場所にも取り付けられ得る。例えば、ブラシ１０８は、カバーの上部に形成されはめ込まれた保定受器（図示せず）に取り付けられ得る。
【００３１】
キット要素は、洗浄剤を含むエアロゾル缶１０２と、エアロゾル缶のためのカバーとしても役割を果たし得る容器１０４および１０６と、随意に、ブラシ１０８とを含む。提供される２つの別個の容器、すなわち、大きい容器１０４およびより小さい容器１０６は、異なるサイズの宝飾品類物品を洗浄するために使用され得る。容器は、十分な量の発泡クリーナーが、種々のサイズを有する宝飾品類のために分注されることを確実にするように、本発明に従うサイズを有し得る。このように、ユーザは、容器および洗浄される宝飾品類のサイズに応じて、適切な量のクリーナーをより容易に測定し得る。
【００３２】
洗浄剤は、前述のような調合であり、洗浄剤は、ユーザがノズル内の弁を作動させるアクチュエータ１１０を押下することによって、エアロゾル缶のノズル１１２から放出される。放出される洗浄剤は、容器内でムース状発泡体を形成する。本発明による、洗浄剤は、ムースまたは発泡体生成物である。発泡体またはムース生成物を利用することによって、本発明は、より有利に、洗浄系を提供することによって、宝飾品類を洗浄する。界面活性剤または洗剤は、機械的エネルギーまたは撹拌が発泡体またはムース生成物の消散によって提供される間、土に結合する。このように、界面活性剤に結合した土は、宝飾品類から引き剥がされ、最終洗浄ステップにおいて容易に漱ぎ流され得る。
【００３３】
前述の教示に従って構築されたデバイスは、通常、宝飾品類洗浄が要求される、あらゆる物品を含む、自立型洗浄キットをもたらすであろうことを理解されたい。加えて、エアロゾル缶と、洗浄容器としての役割を果たし、エアロゾル缶の上部に受け取りおよび保管されるように適合されたカバーが、容器および洗浄剤が一緒に保管されること、および、適切なサイズの容器がユーザに提供されることを保証するので、宝飾品類を洗浄し、適切な量のクリーナーを分注し、効率的かつ効果的に洗浄するための適切なサイズの容器を有することと関連付けられる問題も排除されるであろう。
【００３４】
（洗浄ステップ）
本発明による、洗浄システムは、カバー１０４、１０６のうちの１つをエアロゾル洗浄剤缶から除去し、次いで、開放側が、上方を向くように、上下逆の位置に反転されることによって使用され得る。ユーザは、次いで、少なくとも１つの宝飾品類２００を容器内に載置し得る。代替として、ユーザは、宝飾品類を容器内に載置する前に、いかなる接着した土も遊離および／または除去するために、具備されるブラシ１０８を使用し得る。宝飾品類が、容器内に入れられると、ユーザは、次いで、エアロゾル缶を使用して、アクチュエータ１１０を押下することによって、本発明に従って提供される発泡クリーナーを容器内に導入し得る。ユーザは、発泡体が、容器辺縁のほぼ上部に到達するように、十分な量のクリーナーを導入し得る。このように、ユーザは、異なるサイズの容器１０４または１０６のうちの１つを使用して、洗浄される宝飾品類に対して、適切な量のクリーナーを分注することができる。容器が、発泡体クリーナーで充填されると、ユーザは、次いで、発泡体が、容器内で消散するために十分な時間の間、待機する。待機時間の間、発泡洗浄剤の消散作用は、発泡体ムースの破裂作用によって、宝飾品類の表面に機械的研磨作用をもたらす。
【００３５】
発泡体洗浄剤が、完全に消散すると、ユーザは、次いで、宝飾品類を除去し、具備されたブラシを使用して、発泡クリーナーの作用によって除去されなかったいかなる接着した土も遊離および／または除去し得る。ユーザは、次いで、いかなる遊離した土および残留発泡クリーナーも除去するように、純水道水を使用して、宝飾品類を漱いでもよい。ユーザは、次いで、直ぐに、または将来必要に応じて、洗浄ステップを反復し得る。
【００３６】
本発明の特定の実施形態が、例証および説明されたが、発明の精神および範囲から逸脱することなく、種々の他の変更および修正を行うことができることは、当業者には明白であろう。したがって、添付の請求項において、本発明の範囲内である、すべてのそのような変更および修正を網羅することが意図される。
【図１】
2013539409.tif 000003
【図２】
2013539409.tif 000004
【国際調査報告】
2013539409.tif 000005